(57)【要約】【課題】接続対象の識別を容易化することができる充放電装置を得ること。【解決手段】充放電装置１００は、ＣＨＡｄｅＭＯ規格に準拠した充放電コネクタ５１を備え、充放電コネクタ５１を介して蓄電池装置または電気自動車と接続され、蓄電池装置または電気自動車に設けられた蓄電池との充放電制御を行い、コネクタ接続確認用の第７の端子５１−７とグランドとの間に設けられた識別素子によって、第７の端子５１−７とグランドとの間に印加される電圧を検出する制御部４４を備え、制御部４４は、検出された電圧を用いて充放電装置１００の接続対象が蓄電池装置であるか電気自動車であるかを識別する。【選択図】図３
2018019453.tif 000002
【特許請求の範囲】
【請求項１】
ＣＨＡｄｅＭＯ規格に準拠した充放電コネクタを備え、前記充放電コネクタを介して蓄電池装置または電気自動車と接続され、前記蓄電池装置または前記電気自動車に設けられた蓄電池との充放電制御を行う充放電装置であって、
コネクタ接続確認端子とグランドとの間に設けられた識別素子によって、前記コネクタ接続確認端子と前記グランドとの間に印加される電圧を検出する制御部を備え、
前記制御部は、検出された前記電圧を用いて前記充放電装置の接続対象が前記蓄電池装置であるか前記電気自動車であるかを識別することを特徴とする充放電装置。
【請求項２】
前記識別素子は、前記電圧を任意の値に設定できることを特徴とする請求項１に記載の充放電装置。
【請求項３】
前記識別素子は、前記充放電コネクタの内部に設けられていることを特徴とする請求項１または請求項２に記載の充放電装置。
【請求項４】
前記充放電コネクタの内部に設けられている前記識別素子は、前記蓄電池装置から取り外された識別素子であることを特徴とする請求項３に記載の充放電装置。
【発明の詳細な説明】
【技術分野】
【０００１】
本発明は、充放電装置に関する。
【背景技術】
【０００２】
近年、太陽光発電、風力発電または燃料電池発電といった自然再生エネルギーが普及過程にあり、これらの発電による電力の供給を安定化する目的、または夜間の安価な商用電力を蓄えておき日中または災害時といった必要な時に使用する目的で、充放電装置と定置型蓄電池装置とを組み合わせた定置型蓄電池装置も普及過程にある。定置型蓄電池装置において、定置型蓄電池装置と充放電装置との電力線接続、制御通信プロトコルおよび接続コネクタには統一規格がないため、これらは各メーカによって異なる形態で実施されている。
【０００３】
一方、自動車の排ガス規制に伴い電気自動車（ＥＶ：Ｅｌｅｃｔｒｉｃ  Ｖｅｈｉｃｌｅ）、プラグインハイブリット車（ＰＨＶ：Ｐｌｕｇ−ｉｎ  Ｈｙｂｒｉｄ  Ｖｅｈｉｃｌｅ）またはプラグインハイブリット電気自動車（ＰＨＥＶ：Ｐｌｕｇ−ｉｎ  Ｈｙｂｒｉｄ  Ｅｌｅｃｔｒｉｃ  Ｖｅｈｉｃｌｅ）といった蓄電池を搭載し、差し込みプラグを用いて当該蓄電池に充電できる車も普及しつつある。また近年では、ＥＶ、ＰＨＶまたはＰＨＥＶに搭載された蓄電池に貯えられた電力を住宅内の機器へ供給するＶ２Ｈ（Ｖｅｈｉｃｌｅ  ｔｏ  Ｈｏｍｅ）と呼ばれるシステムが実現可能となり、普及過程にある定置型蓄電池装置と同様の用途が見込まれる。
【０００４】
Ｖ２Ｈを使った充放電にはＣＨＡｄｅＭＯ（登録商標）と呼ばれる接続規格があり、その通信にはＣＡＮ（Ｃｏｎｔｒｏｌｌｅｒ  Ａｒｅａ  Ｎｅｔｗｏｒｋ）を使った統一プロトコルが決められている。非特許文献１に開示される通り、ＣＨＡｄｅＭＯ規格の充電方法では、一般的な蓄電池装置の充電時間に比べて数倍の速さで充電可能であり、ＣＨＡｄｅＭＯ規格による車載用蓄電池装置とＶ２Ｈ用充放電器との接続は、非特許文献１で定められている。
【０００５】
特許文献１にはＣＨＡｄｅＭＯ規格に準拠したコネクタとその接続方法とが開示されている。ＣＨＡｄｅＭＯ規格に準拠したコネクタは第１から第１０の端子を備え、当該コネクタがＥＶに設けられたインレットに取り付けられたとき、第１から第１０の端子のそれぞれが、ＥＶに搭載された蓄電池および車両制御部に接続される。
【先行技術文献】
【特許文献】
【０００６】
【特許文献１】特開２０１４−１９５３４０号公報
【非特許文献】
【０００７】
【非特許文献１】「ＣＨＡｄｅＭＯインタフェースと安全設計」、［ｏｎｌｉｎｅ］、ＣＨＡｄｅＭＯ協議会、［平成２７年８月６日検索］、インターネット＜URL:http://chademo.com/pdf/interfacej.pdf＞
【発明の概要】
【発明が解決しようとする課題】
【０００８】
特許文献１に開示されるＶ２Ｈ用充放電装置である車両用電力装置は、ＥＶとの接続にのみ対応しており、定置型蓄電池装置との接続には対応していないため、ＥＶまたは定置型蓄電池装置に前述したコネクタを接続した際、接続対象がＥＶであるか定置型蓄電池装置であるかを識別する必要がある。接続対象の識別方法としては、ＣＨＡｄｅＭＯ規格に準拠したコネクタにおいて、充放電装置の本体において、第１の端子と第７の端子との間に抵抗を設けて、この抵抗の両端電圧の値に応じて、接続対象の識別する方法が考えられる。以下では当該抵抗の両端電圧を識別電圧と称する。ところが、ＥＶまたは定置型蓄電池装置を識別可能とする当該識別電圧は、充放電装置に内蔵される１２［Ｖ］電源の出力電圧のバラツキと、定置型蓄電池装置に内蔵され上記第７の端子に接続されるフォトカプラのダイオードに発生する電圧のバラツキと、定置型蓄電池装置に内蔵され上記第７の端子に接続される第１の抵抗と充放電装置に内蔵され上記第７の端子に接続される第２の抵抗とによる抵抗比（第２の抵抗／（第１の抵抗＋第２の抵抗））のバラツキとの、３つのバラツキを持つ。そのため、接続対象の識別に必要な識別電圧は、その最少電圧値から最大電圧値までの範囲がこれらの複数のバラツキに依存して大きくなる。そのため、接続対象の識別が容易ではなく、識別電圧を得るための抵抗値を調整する作業が長時間に及ぶという課題があった。
【０００９】
本発明は、上記に鑑みてなされたものであって、接続対象の識別を容易化することができる充放電装置を得ることを目的とする。
【課題を解決するための手段】
【００１０】
上述した課題を解決し、目的を達成するために、本発明に係る充放電装置は、ＣＨＡｄｅＭＯ規格に準拠した充放電コネクタを備え、充放電コネクタを介して蓄電池装置または電気自動車と接続され、蓄電池装置または電気自動車に設けられた蓄電池との充放電制御を行う充放電装置であって、コネクタ接続確認端子とグランドとの間に設けられた識別素子によって、コネクタ接続確認端子とグランドとの間に印加される電圧を検出する制御部を備え、制御部は、検出された電圧を用いて充放電装置の接続対象が蓄電池装置であるか電気自動車であるかを識別することを特徴とする。
【発明の効果】
【００１１】
本発明によれば、接続対象の識別を容易化することができるという効果を奏する。
【図面の簡単な説明】
【００１２】
【図１】本発明の実施の形態１に係る充放電装置と、充放電装置が接続された電気自動車であるＥＶと、屋内負荷と、商用系統とを模式的に表す図
【図２】本発明の実施の形態１に係る充放電装置と、充放電装置が接続された蓄電池装置である定置型蓄電池装置と、屋内負荷と、商用系統とを模式的に表す図
【図３】図１に示す充放電コネクタおよび充放電装置の構成図
【図４】図２に示す定置型蓄電池装置の構成図
【図５】図４に示す識別素子に印加される識別電圧を説明するための図
【図６】図４に示す識別素子の変形例を説明するための図
【図７】本発明の実施の形態２に係る充放電装置が備える充放電コネクタの構成図
【図８】本発明の実施の形態３に係る充放電装置と、充放電装置が接続された定置型蓄電池装置と、識別素子取り付け変更とを模式的に表す図
【発明を実施するための形態】
【００１３】
以下に、本発明の実施の形態に係る充放電装置を図面に基づいて詳細に説明する。なお、この実施の形態によりこの発明が限定されるものではない。
【００１４】
実施の形態１．
図１は本発明の実施の形態１に係る充放電装置と、充放電装置が接続された電気自動車であるＥＶと、屋内負荷と、商用系統とを模式的に表す図である。図２は本発明の実施の形態１に係る充放電装置と、充放電装置が接続された蓄電池装置である定置型蓄電池装置と、屋内負荷と、商用系統とを模式的に表す図である。
【００１５】
図１および図２に示すように実施の形態１に係る充放電装置１００は、一端が充放電装置１００に接続された充放電ケーブル５０と、充放電ケーブル５０の他端に接続された充放電コネクタ５１とを備える。充放電コネクタ５１は、前述したＣＨＡｄｅＭＯ規格に準拠したコネクタである。充放電ケーブル５０および充放電コネクタ５１の構造の詳細は後述する。
【００１６】
充放電装置１００は、電力線６００を介して、屋内に設置された負荷３００および商用系統５００に接続されている。負荷３００は、商用系統５００または充放電装置１００から電力の供給を受けて駆動する宅内機器である。
【００１７】
図１に示すＥＶ２００には不図示の蓄電池および車両制御部が搭載される。またＥＶ２００には、不図示のコネクタ接続口であるインレットが設けられている。充放電コネクタ５１が当該インレットに取り付けられることにより、充放電装置１００はＥＶ２００に搭載される蓄電池および車両制御部に接続される。
【００１８】
ＥＶ２００に搭載される蓄電池にはリチウムイオン電池が一般的に用いられる。当該蓄電池の電池セル数は、車種に応じて異なり、蓄電池の電圧は２００［Ｖ］から４００［Ｖ］となる。このように高圧化された蓄電池はＥＶ２００の筐体と絶縁された状態で搭載され、蓄電池の両端が筐体のアースに接続されていないフローティング状態となっている。
【００１９】
ＥＶ２００の車両制御部は、電池電圧と、充放電電流と、電池容量と、バッテリーの充電状態であるＳＯＣ（Ｓｔａｔｅ  ｏｆ  Ｃｈａｒｇｅ）と、温度といった蓄電池に関する情報を計測して充放電動作の監視を行い、蓄電池の充電許容量および放電許容量を超えないように充放電装置１００との間でＣＡＮ通信を行う。また車両制御部は充放電装置１００へ蓄電池に関する情報を伝達する。
【００２０】
図３は図１に示す充放電コネクタおよび充放電装置の構成図である。本実施の形態に係る充放電装置１００は制御部４４を備え、制御部４４がコネクタ接続確認端子である第７の端子５１−７とグランドとの間に設けられた識別素子によって、コネクタ接続確認端子とグランドとの間に印加される電圧を検出し、検出した電圧を用いて充放電装置１００の接続対象が定置型蓄電池装置４００であるかＥＶ２００であるかを識別することを特徴とする。識別素子の詳細と、制御部４４が接続対象を識別する方法の詳細とに関しては後述する。
【００２１】
（充放電コネクタ５１の構成）
図３に示す充放電コネクタ５１は、「１」から「１０」で示される充放電コネクタ５１内の第１の端子５１−１から第１０の端子５１−１０を備える。また充放電コネクタ５１は、不図示のロック機構を備えると共に、このロック機構を動作させるソレノイド５１ａを備える。ロック機構は、図１に示すＥＶ２００に接続された充放電コネクタ５１の抜けを防止し、または図２に示す蓄電池装置である定置型蓄電池装置４００に接続された充放電コネクタ５１の抜けを防止するための機構である。
【００２２】
第１の端子５１−１から第１０の端子５１−１０のそれぞれの機能または接続は以下の通りである。
（１）第１の端子５１−１は、接地線に接続されるアース用端子である。
（２）第２の端子５１−２は、「放電開始停止１」の信号を伝送するための端子である。
（３）第３の端子５１−３は、空き端子である。
（４）第４の端子５１−４は、「放電許可禁止」の信号を伝送するための端子である。
（５）第５の端子５１−５は、直流式においては−側の電力線に接続される給電用端子である。
（６）第６の端子５１−６は、直流式においては＋側の電力線に接続される給電用端子である。
（７）第７の端子５１−７は、「コネクタ接続確認」の信号を伝送するための端子である。
（８）第８の端子５１−８は、ＣＡＮの差動電圧用のＨｉｇｈ側信号線に接続される端子である。
（９）第９の端子５１−９は、ＣＡＮの差動電圧用のＬｏｗ側信号線に接続される端子である。
（１０）第１０の端子５１−１０は、「放電開始停止２」の信号を伝送するための端子である。
【００２３】
充放電ケーブル５０の内部には「１」から「１２」で示される複数の配線が設けられている。各配線の接続先および種別は以下の通りである。
（１）配線５０−１、配線５０−２、配線５０−３および配線５０−４は、それぞれの一端が第１の端子５１−１、第２の端子５１−２、第３の端子５１−３および第４の端子５１−４に接続される信号線である。図３では第３の端子５１−３に接続される配線５０−３の図示を省略している。
（２）配線５０−５および配線５０−６は、それぞれの一端が第５の端子５１−５および第６の端子５１−６に接続される電源線である。
（３）配線５０−７、配線５０−８、配線５０−９および配線５０−１０は、それぞれの一端が第７の端子５１−７、第８の端子５１−８、第９の端子５１−９および第１０の端子５１−１０に接続される信号線である。
（４）配線５０−１１および配線５０−１２は、それぞれの一端がソレノイド５１ａに接続される信号線である。
（５）配線５０−１から配線５０−１２のそれぞれの他端は充放電装置１００に接続される。
【００２４】
ソレノイド５１ａは、ダイオード５１ａ１と、一端がダイオード５１ａ１のカソードに接続されたコイル５１ａ２と、一端がダイオード５１ａ１のアノードに接続され他端がコイル５１ａ２の他端に接続された抵抗５１ａ３と、一端がダイオード５１ａ１とコイル５１ａ２との接続端に接続されたノーマリーオープンのスイッチ５１ａ４とを備える。抵抗５１ａ３とコイル５１ａ２との接続端には配線５０−１１が接続される。スイッチ５１ａ４の他端は、配線５０−１２に接続され、配線５０−１２を介して充放電装置１００に接続される。
【００２５】
ソレノイド５１ａの動作例を説明する。図１に示すＥＶ２００に充放電コネクタ５１が接続され、または図２に示す定置型蓄電池装置４００に充放電コネクタ５１が接続された後、充放電装置１００において充放電開始の操作が行われたとき、充放電装置１００から充放電コネクタ５１に対して、ロック機構を動作させる信号が出力される。コイル５１ａ２に当該信号が入力されることにより、スイッチ５１ａ４が吸引されてクローズ状態となる。充放電コネクタ５１に設けられた不図示のロック機構はスイッチ５１ａ４に連動して動作し、図１に示すＥＶ２００に接続された充放電コネクタ５１の抜けが防止され、または図２に示す定置型蓄電池装置４００に接続された充放電コネクタ５１の抜けが防止される。
【００２６】
（充放電装置１００の構成）
充放電装置１００は、複数のスイッチ４１ａ，４１ｂと、１２Ｖ電源４２と、制御電源４３と、制御部４４と、ＣＡＮドライバー４５と、電力変換部４６と、フォトカプラＰＨ４０と、複数の抵抗Ｒ４１，Ｒ４２，Ｒ４３，Ｒ４５とを備える。
【００２７】
電力変換部４６は、−側の電力端４６ａが配線５０−５に接続され、＋側の電力端４６ｂが配線５０−６に接続される。電力変換部４６は、図１および図２に示す商用系統５００から供給される交流電力を直流電力に変換し、図１に示すＥＶ２００に供給し、または図２に示す定置型蓄電池装置４００に供給する。また電力変換部４６は、図２に示す定置型蓄電池装置４００から供給される直流電力を交流電力に変換し、負荷３００に供給する。
【００２８】
１２Ｖ電源４２は、一方の信号端４２ａがスイッチ４１ａを介して配線５０−２に接続される。また１２Ｖ電源４２は、他方の信号端４２ｂがスイッチ４１ｂを介して配線５０−１０に接続され、他方の信号端４２ｂが抵抗Ｒ４５を介して配線５０−７に接続され、さらに他方の信号端４２ｂが配線５０−１に接続される。
【００２９】
制御電源４３は、抵抗Ｒ４２を介して、フォトカプラＰＨ４０内のトランジスタ４０ａと制御部４４とに接続される。フォトカプラＰＨ４０内の発光ダイオード４０ｂは、アノードが１２Ｖ電源４２の信号端４２ａに接続され、カソードが抵抗Ｒ４１を介して配線５０−４に接続される。
【００３０】
ＣＡＮドライバー４５は、一方の信号端４５ａが配線５０−８に接続され、他方の信号端４５ｂが配線５０−９に接続される。一方の信号端４５ａには抵抗Ｒ４３の一端が接続され、他方の信号端４５ｂには抵抗Ｒ４３の他端が接続される。
【００３１】
電圧Ｖ４２は、１２Ｖ電源４２の一方の信号端４２ａに印加される電圧であり、電圧Ｖ７ａは抵抗Ｒ４５に印加される電圧である。
【００３２】
図４は図２に示す定置型蓄電池装置の構成図である。定置型蓄電池装置４００は、識別素子１と、図３に示す充放電コネクタ５１が接続されるインレット２０と、定置型蓄電池１１と、複数のリレー１２，１３と、スイッチ１４と、蓄電制御電源１５と、蓄電制御部１６と、複数のフォトカプラＰＨ１，ＰＨ２，ＰＨ３と、トランジスタＴＲ１と、複数の抵抗Ｒ１０，Ｒ１１，Ｒ１２，Ｒ１３，Ｒ１４，Ｒ１５，Ｒ１６，Ｒ１７と、ＣＡＮドライバー１９とを備える。
【００３３】
インレット２０は、図３に示す充放電コネクタ５１と同様に「１」から「１０」で示される第１の端子２０−１から第１０の端子２０−１０を備える。第３の端子２０−３は空き端子である。
【００３４】
リレー１２を構成するスイッチ１２ａの一端は定置型蓄電池１１の正極に接続される。スイッチ１２ａの他端はインレット２０の第６の端子２０−６に接続される。リレー１２を構成するコイル１２ｂの一端は、蓄電制御電源１５と、インレット２０の第２の端子２０−２と、抵抗Ｒ１１の一端と、フォトカプラＰＨ２の構成するダイオード２ａのアノードと、フォトカプラＰＨ３の構成するダイオード３ａのアノードとに接続される。コイル１２ｂの他端はスイッチ１４の一端に接続される。
【００３５】
リレー１３を構成するスイッチ１３ａの一端は定置型蓄電池１１の負極に接続される。スイッチ１３ａの他端はインレット２０の第５の端子２０−５に接続される。リレー１３を構成するコイル１３ｂの一端は、蓄電制御電源１５と、インレット２０の第２の端子２０−２と、抵抗Ｒ１１の一端と、フォトカプラＰＨ２の構成するダイオード２ａのアノードと、フォトカプラＰＨ３の構成するダイオード３ａのアノードとに接続される。コイル１３ｂの他端はスイッチ１４の一端に接続される。スイッチ１４の他端は、第１０の端子２０−１０と、抵抗Ｒ１４の一端とに接続される。
【００３６】
抵抗Ｒ１０の一端は、蓄電制御電源１５に接続され、抵抗Ｒ１０の他端は、蓄電制御部１６と、フォトカプラＰＨ１を構成するトランジスタ１ｂとに接続される。抵抗Ｒ１２の一端は、蓄電制御電源１５に接続され、抵抗Ｒ１２の他端は、蓄電制御部１６と、フォトカプラＰＨ２を構成するトランジスタ２ｂとに接続される。抵抗Ｒ１３の一端は、蓄電制御電源１５に接続され、抵抗Ｒ１３の他端は、蓄電制御部１６と、フォトカプラＰＨ３を構成するトランジスタ３ｂとに接続される。
【００３７】
抵抗Ｒ１１の他端は、フォトカプラＰＨ１を構成するダイオード１ａのアノードに接続される。抵抗Ｒ１４の一端は、フォトカプラＰＨ２を構成するダイオード２ａのカソードに接続される。抵抗Ｒ１４の他端は、スイッチ１４の他端と、インレット２０の第１０の端子２０−１０とに接続される。抵抗Ｒ１５の一端は、フォトカプラＰＨ３を構成するダイオード３ａのカソードに接続される。抵抗Ｒ１５の他端は、識別素子１の一端と、インレット２０の第７の端子２０−７とに接続される。抵抗Ｒ１６の一端は、インレット２０の第４の端子２０−４に接続される。抵抗Ｒ１６の他端は、トランジスタＴＲ１のコレクタに接続される。
【００３８】
トランジスタＴＲ１のエミッタは接地されると共に、識別素子１の他端と、インレット２０の第１の端子２０−１とに接続される。トランジスタＴＲ１のベースは、蓄電制御部１６に接続される。
【００３９】
ＣＡＮドライバー１９は、一方の信号端１９ａがインレット２０の第８の端子２０−８に接続され、他方の信号端１９ｂがインレット２０の第９の端子２０−９に接続される。一方の信号端１９ａには抵抗Ｒ１７の一端が接続され、他方の信号端１９ｂには抵抗Ｒ１７の他端が接続される。
【００４０】
次に充放電装置１００が定置型蓄電池装置４００に接続されるときの動作を説明する。充放電装置１００が充放電コネクタ５１を介して充放電装置１００が接続されたとき、制御部４４がスイッチ４１ａを閉じることにより、フォトカプラＰＨ３、抵抗Ｒ１５および抵抗Ｒ４５に電流が流れる。その結果、抵抗Ｒ１３に電流が流れ、蓄電制御部１６は、インレット２０の第２の端子２０−２に１２［Ｖ］の電圧が印加されたことを検出する。またフォトカプラＰＨ３および抵抗Ｒ１５に電流が流れることにより、抵抗Ｒ４５には電圧Ｖ７ａが発生する。ＣＡＮドライバー１９，４５は、定置型蓄電池装置４００と充放電装置１００との間で相互通信を行い、充放電の適合性を判断する。
【００４１】
次に蓄電制御部１６がトランジスタＴＲ１をＯＮすることにより、１２Ｖ電源４２の電圧Ｖ４２とフォトカプラＰＨ４０と抵抗Ｒ４１と抵抗Ｒ１６とにより決まる電流が流れ、これにより制御部４４は、第４の端子５１−４の充電許可禁止が解除されたことを検出する。
【００４２】
次に制御部４４は、スイッチ４１ｂをＯＮさせて、第２の端子５１−２に１２［Ｖ］が印加されることにより、フォトカプラＰＨ２および抵抗Ｒ１４で決まる電流が流れるため、蓄電制御部１６は、第１０の端子２０−１０の充電開始停止を解除する。
【００４３】
蓄電制御部１６は、定置型蓄電池１１の状態を把握し、最適な電流値を計算する。蓄電制御部１６が最適な電流値設定の準備ができた後、蓄電制御部１６がスイッチ１４をＯＮすることによりリレー１２およびリレー１３が導通する。その結果、充放電が可能となる。
【００４４】
コネクタ接続確認用の端子である第７の端子５１−７に接続された抵抗Ｒ４５に発生した電圧Ｖ７ａは、制御部４４で検出される。制御部４４は、予め定められた電圧と電圧Ｖ７ａとを比較して、接続対象が定置型蓄電池装置４００であるか否かを識別する。
【００４５】
前述した電圧Ｖ７ａは、フォトカプラＰＨ３のダイオード３ａに発生する電圧をＶｆとしたとき、下記（１）式により算出される。
Ｖ７ａ＝（Ｖ４２−Ｖｆ）×Ｒ４５／（Ｒ１５＋Ｒ４５）・・・（１）
【００４６】
上記（１）式より電圧Ｖ７ａは、１２Ｖ電源４２の出力電圧である電圧Ｖ４２のバラツキと、フォトカプラＰＨ３のダイオード３ａに発生する電圧Ｖｆのバラツキと、抵抗Ｒ１５および抵抗Ｒ４５による抵抗比（Ｒ４５／（Ｒ１５＋Ｒ４５））のバラツキとの、３つのバラツキを持つ。そのため、接続対象の識別に必要な電圧Ｖ７ａは、その最少電圧値から最大電圧値までの範囲がこれらの複数のバラツキに依存して大きくなる。以下では当該範囲を「識別許容電圧範囲」と称する。
【００４７】
このように接続対象の識別に必要な識別許容電圧範囲が大きくなるほど、接続対象の識別が容易ではないため、識別電圧を得るための抵抗値を調整する作業が長時間に及ぶ。
【００４８】
そこで本実施の形態では、定置型蓄電池装置４００においてインレット２０の第１の端子２０−１と第７の端子２０−７との間に、識別素子１を接続している。図４では識別素子１の一例としてダイオード１−１が用いられている。識別素子１に印加される電圧を識別電圧ＶＦとしたとき、識別電圧ＶＦと電圧Ｖ７ａとの間には下記（２）式の関係性がある。
Ｖ７ａ＝ＶＦ・・・（２）
【００４９】
上記（２）に示す電圧Ｖ７ａは識別素子１のバラツキのみに依存するため、上記（１）式に示す電圧Ｖ７ａに比べて識別許容電圧範囲が小さくなる。
【００５０】
図５は図４に示す識別素子に印加される識別電圧を説明するための図である。図５には識別素子１に用いられるダイオード１−１とトランジスタ１−２とが示される。ダイオード１−１の順方向電圧ＶＦ１は０．６［Ｖ］から０．７［Ｖ］が一般的である。この順方向電圧ＶＦ１は、トランジスタ１−２のようにベースＢとコレクタＣとを接続したとき、ベースＢとエミッタＥとの間に印加される電圧である順方向電圧ＶＦ２と等しい。順方向電圧ＶＦ１および順方向電圧ＶＦ２は、上記（２）より、識別電圧ＶＦおよび電圧Ｖ７ａと等しい値である。
【００５１】
なお識別素子１の識別電圧ＶＦを大きくすることも可能である。図６は図４に示す識別素子の変形例を説明するための図である。図５には識別素子１に用いられるダイオード群１−３とツェナーダイオード１−４とが示される。
【００５２】
ダイオード群１−３では、複数のダイオードが直列に接続され、直列回路の一端と他端との間に印加される電圧が識別電圧ＶＦａである。このように複数のダイオードを直列接続する場合、ダイオードの接続数をＮとしたとき、識別電圧ＶＦａと前述した識別電圧ＶＦとの間には下記（３）式の関係性がある。
ＶＦａ＝ＶＦ×Ｎ・・・（３）
【００５３】
ダイオード群１−３の代わりに、一定の電圧で導通するツェナーダイオード１−４または定電圧装置１−５を用いてもよい。また本実施の形態では、図５および図６に示す識別素子１の組合せにより、識別電圧ＶＦを任意の値に設定可能である。
【００５４】
なお図１に示すＥＶ２００に充放電コネクタ５１が接続された場合、ＥＶ２００には識別素子１が設けられていないため、識別電圧ＶＦは、上記（１）式の電圧Ｖ７ａから算出されるが、識別素子１で決まる識別電圧ＶＦより大きな電圧になる様に抵抗Ｒ１５および抵抗Ｒ４５が設定される。
【００５５】
識別素子１を追加した場合、識別電圧ＶＦは識別素子１によって決まるため、充放電装置１００は、ＥＶ２００が接続されているか定置型蓄電池装置４００が接続されているかを容易に識別できる。また、本実施の形態によれば、識別電圧ＶＦが識別素子１によって決まるため、識別許容電圧範囲を小さくでき、充放電装置１００の制御部４４による接続対象の識別が容易になる。また識別素子１を図６に示すように構成した場合、上記（３）式の様に識別電圧ＶＦａを任意の値に設定できるため、回路構成が異なる複数の定置型蓄電池装置４００のそれぞれに充放電装置１００を接続する場合でも、識別素子１を変更するだけで複数の定置型蓄電池装置４００のそれぞれの識別が可能となる。
【００５６】
実施の形態２．
図７は本発明の実施の形態２に係る充放電装置が備える充放電コネクタの構成図である。実施の形態１と実施の形態２との相違点は以下の通りである。
（１）実施の形態２に係る充放電装置１００は、実施の形態１の充放電コネクタ５１の代わりに充放電コネクタ５１Ａを備える。
（２）充放電コネクタ５１Ａは、実施の形態１の識別素子１を備える。
【００５７】
識別素子１の一端は配線５０−７に接続され、識別素子１の他端は配線５０−１に接続される。実施の形態２に係る充放電装置１００の動作は実施の形態１に係る充放電装置１００の動作と同様である。
【００５８】
実施の形態２によれば、充放電コネクタ５１Ａに識別素子１を設けるため、実施の形態１の効果に加えて、図２に示す定置型蓄電池装置４００に改良を加えることなく識別電圧ＶＦを容易に設定できるという効果が得られる。
【００５９】
実施の形態３．
図８は本発明の実施の形態３に係る充放電装置と、充放電装置が接続された定置型蓄電池装置と、識別素子取り付け変更とを模式的に表す図である。実施の形態１と実施の形態３との相違点は以下の通りである。
（１）実施の形態３では、実施の形態１の定置型蓄電池装置４００の代わりに、識別素子１を取り外し可能な定置型蓄電池装置４００Ａが用いられていること。
（２）実施の形態３では、識別素子１を取り付け可能な充放電コネクタ５１Ｂが用いられていること。
【００６０】
定置型蓄電池装置４００Ａには取り外し可能な識別素子１が取り付けられており、識別素子１の識別電圧ＶＦは、定置型蓄電池装置４００Ａに適した値に設定されている。図８に示すように識別素子１は、定置型蓄電池装置４００Ａから取り外された後、充放電コネクタ５１Ｂに取り付けられ、取り外しができない様に固定される。
【００６１】
識別素子１の識別電圧ＶＦは、定置型蓄電池装置４００Ａに適した値に予め設定されているため、この識別素子１を充放電コネクタ５１の内部に取り付けることにより、上記（２）式に示す電圧Ｖ７ａ、すなわち接続対象の識別に必要な電圧は、定置型蓄電池装置４００Ａを正確に識別できる値となる。
【００６２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６３】
１  識別素子、１−１，１ａ，２ａ，３ａ，５１ａ１  ダイオード、１−２，１ｂ，２ｂ，３ｂ，４０ａ，ＴＲ１  トランジスタ、１−３  ダイオード群、１−４  ツェナーダイオード、１−５  定電圧装置、１１  定置型蓄電池、１２，１３  リレー、１２ａ，１３ａ，１４，４１ａ，４１ｂ，５１ａ４  スイッチ、１２ｂ，１３ｂ，５１ａ２  コイル、１５  蓄電制御電源、１６  蓄電制御部、１９，４５  ＣＡＮドライバー、１９ａ，１９ｂ，４２ａ，４２ｂ，４５ａ，４５ｂ  信号端、２０  インレット、２０−１，５１−１  第１の端子、２０−１０，５１−１０  第１０の端子、２０−２，５１−２  第２の端子、２０−３，５１−３  第３の端子、２０−４，５１−４  第４の端子、２０−５，５１−５  第５の端子、２０−６，５１−６  第６の端子、２０−７，５１−７  第７の端子、２０−８，５１−８  第８の端子、２０−９，５１−９  第９の端子、４０ｂ  発光ダイオード、４２  １２Ｖ電源、４３  制御電源、４４  制御部、４６  電力変換部、４６ａ，４６ｂ  電力端、５０  充放電ケーブル、５０−１，５０−１０，５０−１１，５０−１２，５０−２，５０−３，５０−４，５０−５，５０−６，５０−７，５０−８，５０−９  配線、５１，５１Ａ，５１Ｂ  充放電コネクタ、５１ａ  ソレノイド、５１ａ３，Ｒ１０，Ｒ１１，Ｒ１２，Ｒ１３，Ｒ１４，Ｒ１５，Ｒ１６，Ｒ１７，Ｒ４１，Ｒ４２，Ｒ４３，Ｒ４５  抵抗、１００  充放電装置、２００  ＥＶ、３００  負荷、４００，４００Ａ  定置型蓄電池装置、５００  商用系統、６００  電力線、ＰＨ１，ＰＨ２，ＰＨ３，ＰＨ４０  フォトカプラ、Ｖ４２，Ｖ７ａ  電圧。
【図１】
2018019453.tif 000003
【図２】
2018019453.tif 000004
【図３】
2018019453.tif 000005
【図４】
2018019453.tif 000006
【図５】
2018019453.tif 000007
【図６】
2018019453.tif 000008
【図７】
2018019453.tif 000009
【図８】
2018019453.tif 000010